(57)【要約】【課題】  容器の密閉性を良好に維持しつつ小型化が可能な密閉用キャップを備えた密閉容器を提供する。【解決手段】  容器本体２と、容器本体２の上部中央に設けられた筒状の口部４と、口部４に外嵌される本キャップ１０と、本キャップ１０に外嵌される密閉用キャップ２０とを備える密閉容器１であって、密閉用キャップ２０は、可撓性を有する筒状体２２と、筒状体２２の一端部を覆う蓋体２４とを備え、筒状体２２は、本キャップ２０に外嵌された状態で、内周面が本キャップ１０の外周面の少なくとも一部に密着すると共に、他端部が容器本体２と密着するように構成されている。【選択図】  図１
2006321543.tif 000002
【特許請求の範囲】
【請求項１】
容器本体と、前記容器本体の上部中央に設けられた筒状の口部と、前記口部に外嵌される本キャップとを備える容器を密閉するための密閉用キャップであって、
可撓性を有する筒状体と、前記筒状体の一端部を覆う蓋体とを備え、
前記筒状体は、前記本キャップに外嵌された状態で、内周面が前記本キャップの外周面の少なくとも一部に密着すると共に、他端部が前記容器本体と密着するように構成された密閉用キャップ。
【請求項２】
前記容器は、前記容器本体と前記口部との間に鍔状のサポートリングを有しており、
前記筒状体は、内方に突出する係止リングを他端部に備え、
前記係止リングは、前記本キャップに外嵌された状態で、前記サポートリングの下面と当接する受け面を有する請求項１に記載の密閉用キャップ。
【請求項３】
前記本キャップは、針管を刺通可能な弾性材料からなり前記口部の開口を覆う第１の刺通部を有し、
前記蓋体は、前記針管を刺通可能な弾性材料からなる第２の刺通部を備えており、前記筒状体に対して着脱自在に装着される請求項１又は２に記載の密閉用キャップ。
【請求項４】
前記筒状体は、前記本キャップに外嵌された状態で、前記蓋体と前記本キャップとの間に空間部を形成する請求項３に記載の密閉用キャップ。
【請求項５】
前記筒状体の側壁を介して前記空間部と連通する収容部を更に備える請求項４に記載の密閉用キャップ。
【請求項６】
容器本体と、
前記容器本体の上部中央に設けられた筒状の口部と、
前記口部に外嵌される本キャップと、
前記本キャップに外嵌される密閉用キャップとを備える密閉容器であって、
前記密閉用キャップは、可撓性を有する筒状体と、前記筒状体の一端部を覆う蓋体とを備え、
前記筒状体は、前記本キャップに外嵌された状態で、内周面が前記本キャップの外周面の少なくとも一部に密着すると共に、他端部が前記容器本体と密着するように構成された密閉容器。  
【発明の詳細な説明】
【技術分野】
【０００１】
本発明は、試薬瓶、溶媒瓶などの容器を密閉する密閉用キャップ、及びこの密閉用キャップを備えた密閉容器に関する。
【背景技術】
【０００２】
従来の試薬瓶は、内容液が漏出しないようにキャップにより密閉されるが、塩酸などの揮発性を有する酸を収容した場合には、キャップを完全に締めた状態でも揮発成分の放散が避けられず、これによって、試薬瓶を保管する金属製薬品庫の内壁面が腐食するおそれがあった。
【０００３】
また、市販の脱水溶媒は、空気との接触により吸湿するのを防ぐために、密閉容器に収容されて販売されるのが一般的である。密閉容器に用いられるキャップとしては、図５に示すセプタム付きの構成が知られている。図５において、キャップ本体５０は、上部中央に開口部５５が形成されており、容器５１の口部５２との間に円板状のゴム材からなるセプタム５３を介在させた状態で、口部５２の外周面に形成されたねじ部５４に外嵌螺合される。この構成によれば、開口部５５を介して２本の注射針（図示せず）を刺通し、一方の注射針から容器５１内に不活性ガスを導入することにより、他方の注射針を介して内容液を取り出すことができる。ところが、このような従来のセプタム付きキャップは、注射針の挿抜を繰り返すとセプタム５３の密閉性が低下するため、内容液の長期間の乾燥保存が困難であるという問題があった。
【０００４】
このため、特許文献１には、内容物への水分混入などを防ぐための密閉用キャップが開示されている。この密閉用キャップは、容器の開口部にセプタムなどからなる第１のシール部材を介して取り付けられ、脱酸素剤や脱水剤などを収容可能な収容部を有し、上部が第２のシール部材により覆われるように構成されている。
【特許文献１】特開２００３−３１２７１１号公報
【発明の開示】
【発明が解決しようとする課題】
【０００５】
上記特許文献１に開示された密閉用キャップは、第１のシール部材と第２のシール部材との間に脱酸素剤や脱水剤などを収容することにより、侵入する酸素や水分を効率よく除去することができるが、良好な除去効果を得るために十分な量の脱酸素剤や脱水剤を収容するスペースが必要になるので、収容部が必然的に大きくならざるを得ず、キャップの小型化を図る点で更に改良の余地があった。
【０００６】
そこで、本発明は、容器の密閉性を良好に維持しつつ小型化が可能な密閉用キャップの提供を目的とし、更に、このような密閉用キャップを備えた密閉容器の提供を目的とする。
【課題を解決するための手段】
【０００７】
本発明の前記目的は、容器本体と、前記容器本体の上部中央に設けられた筒状の口部と、前記口部に外嵌される本キャップとを備える容器を密閉するための密閉用キャップであって、可撓性材料により形成された筒状体と、前記筒状体の一端部を覆う蓋体とを備え、前記筒状体は、前記本キャップに外嵌された状態で、内周面が前記本キャップの外周面の少なくとも一部に密着すると共に、他端部が前記容器本体と密着するように構成された密閉用キャップにより達成される。
【０００８】
また、本発明の前記目的は、容器本体と、前記容器本体の上部中央に設けられた筒状の口部と、前記口部に外嵌される本キャップと、前記本キャップに外嵌される密閉用キャップとを備える密閉容器であって、前記密閉用キャップは、可撓性材料により形成された筒状体と、前記筒状体の一端部を覆う蓋体とを備え、前記筒状体は、前記本キャップに外嵌された状態で、内周面が前記本キャップの外周面の少なくとも一部に密着すると共に、他端部が前記容器本体と密着するように構成された密閉容器により達成される。
【発明の効果】
【０００９】
本発明によれば、容器の密閉性を良好に維持しつつ小型化が可能な密閉用キャップを提供することができ、更に、このような密閉用キャップを備えた密閉容器を提供することができる。
【発明を実施するための最良の形態】
【００１０】
以下、本発明の実施の形態について添付図面を参照して説明する。図１は、本発明の一実施形態に係る密閉容器の要部を一部断面で示す側面図である。図１に示すように、密閉容器１は、溶媒や試薬などの液体を収容する容器本体２と、容器本体２の上部中央に設けられた口部４とを備えている。口部４は、筒状に形成されており、外周面にねじ部４ａが形成されている。容器本体２と口部４との間には、容器本体２の搬送時や充填時などにおいて利用される鍔状のサポートリング６が設けられている。
【００１１】
口部４のねじ部４ａには、本キャップ１０が螺合により外嵌されている。本キャップ１０は、図５に示す従来のセプタム付きキャップと同様の構成を有しており、口部４の開口を覆う円板状のセプタム１２を有している。セプタム１２は、本キャップ１０の上部中央に形成された開口部１４を介して注射針などの針管を刺通可能な刺通部となるものであり、刺通により形成された孔の自己修復性を有する天然ゴム、シリコーン樹脂、熱可塑性エラストマーなどの弾性材料からなる。本キャップ１０の開口端には、外方に張り出すフランジ部１６が設けられている。口部４への本キャップ１０の取り付けは、口部４の外周面及び本キャップ１０の内周面にそれぞれ設けられた段部同士の嵌合により行ってもよい。
【００１２】
本キャップ１０には、密閉用キャップ２０が外嵌されている。密閉用キャップ２０は、筒状体２２と、この筒状体２２の一端部を覆う蓋体２４とを備えている。筒状体２２は、可撓性を有する弾性材からなり、例えば、シリコンゴム、フッ素ゴムなどのゴム材料や、フッ素樹脂、塩化ビニル、ポリエチレンなどのプラスチック材料を挙げることができる。筒状体２２の一端側には、内径が縮径された縮径部２２ａを有しており、縮径部２２ａの一端部外周面には、ねじ部２２ｂが形成されている。
【００１３】
一方、筒状体２２の他端側には、内方に突出する係止リング２２ｃが設けられている。係止リング２２ｃは、筒状体２２と同じ材料により一体的に形成されており、サポートリング６の下面と当接する受け面２２ｄを有している。筒状体２２は、内周面が本キャップ１０のフランジ部１６に密着すると共に、係止リング２２ｃがサポートリング６の下方において容器本体２の肩部と密着する。
【００１４】
蓋体２４は、セプタム１２と同様に針管を刺通可能な弾性材料からなり、ねじ部２２ｂに外嵌螺合されることにより、筒状体２２に対して着脱自在に装着される。蓋体２４の内面には、筒状体２２の内周面と密着する保持リング２４ａが設けられている。筒状体２２への蓋体２４の取り付けは、口部４への本キャップ１０の取り付けの場合と同様に、段部同士の嵌合により行ってもよい。また、蓋体２４は本キャップ１０と同様に、蓋体２４の中央のみをセプタム１２と同様の弾性材料から構成することで、刺通部が蓋体２４の一部に形成されるようにしてもよい。蓋体２４と本キャップ１０との間には、パージ用の空間部Ｓが形成される。
【００１５】
以上の構成を備える密閉容器１によれば、従来と同様の構成を有する本キャップ１０に対して密閉用キャップ２０が外嵌されており、この密閉用キャップ２０は、筒状体２２の内周面が本キャップ１０のフランジ部１６に密着すると共に、係止リング２２ｃが容器本体２と密着するように構成されているので、容器本体２の密閉性をより高めることができる。したがって、容器本体２に吸湿性の高い液体が収容されている場合でも、外部からの水分の浸入を確実に防止して、長期保存が可能になる。また、容器本体２に揮発性の高い液体が収容されている場合でも、保管中における揮発成分の外部への放散を確実に防止することができ、薬品庫の内壁腐食などの問題を解消することができる。
【００１６】
容器本体２にサポートリング６が設けられている場合には、係止リング２２ｃの受け面２２ｄをサポートリング６の下面と当接させることにより、サポートリング６で係止リング２２ｃを押圧することができるので、容器本体２との密着性をより高めることができる。但し、筒状体２２端部の容器本体２への密着は、必ずしも本実施形態の構成に限定されず、サポートリング６や係止リング２２ｃを有しない構成であっても、筒状体２２が有する可撓性を利用して容器本体２の表面を筒状体２２の端部により挟持するようにして密着させることもできる。  
【００１７】
容器本体２の収容液を取り出す際には、図２に示すように、３本の針管３１，３２，３３を密閉用キャップ２０の蓋体２４に刺通する。第１の針管３１の外側の終端には空気の逆流を妨げるためにバブラーもしくは逆止弁をつける。第１の針管３１の先端部を空間部Ｓに保持し、この第１の針管３１を介してアルゴンガスなどの不活性ガスを供給し、空間部Ｓをガスで置換する。次に、第２の針管３２及び第３の針管３３の先端部を、本キャップ１０のセプタム１２に刺通する。そして、第２の針管３２は、容器本体２内の液面より上方に保持し、第３の針管３３は、容器本体２の液中に浸漬する。第２の針管３２からのアルゴンガスなどの不活性ガスの供給により、容器本体２内の圧力が高まり、第３の針管３３から内容液を取り出すことができる。
【００１８】
作業終了後は、第１の針管３１から空間部Ｓにアルゴンガスなどの不活性ガスを供給してパージを行い、空間部Ｓに不活性ガスを充満させた状態で、各針管３１，３２，３３を抜き取る。これにより、本キャップ１０の周囲が不活性ガスで覆われた状態になるので、保管中における外部から容器本体２への水分などの浸入を確実に防止することができる。空間部Ｓの大きさは、保管中に不活性ガスを保持できる程度の大きさであればよく、上記特許文献１に開示された構成のように脱酸素剤や脱水剤などを収容するスペースは必要がないため、密閉容器１の小型化を図ることができる。
【００１９】
密閉用キャップ２０への針管の抜き刺しを繰り返し行うことにより、蓋体２４の刺通部のシール性が低下した場合には、蓋体２４を筒状体２２から取り外して新しいものと交換することにより、密閉性を良好に維持しつつ経済性にも優れたものとすることができる。蓋体２４の交換は、空間部Ｓにアルゴンガスなどの不活性ガスを供給した状態で行うことが好ましく、これによって、内容物の空気との接触を確実に防止することができる。
【００２０】
上述したように、本実施形態の密閉容器１は、従来と同様の構成を有する本キャップ１０に対して、密閉用キャップ２０が外嵌されたものである。したがって、例えば市販の試薬瓶を購入したユーザが、この試薬瓶のセプタム付きキャップに密閉用キャップ２０を後付けすることにより、従来の試薬瓶を容易に密閉容器とすることができる。
【００２１】
以上、本発明の一実施形態について詳述したが、本発明の具体的な態様は上記実施形態に限定されるものではない。例えば、図３に示すように、筒状体２２に隣接する有底筒状の収容体４０を設け、この収容体４０の収容部Ｒが、筒状体２２の側壁を介して空間部Ｓと連通するように構成してもよい。尚、図３に示す構成において、図１に示す構成と同様の構成部分には同一の符号を付している。
【００２２】
図３に示す密閉容器によれば、収容部Ｒに脱水剤や脱酸素剤を収容して収容体４０の上部をキャップ４２で封止することにより、蓋体２４と本キャップ１０との間に形成された空間部Ｓの脱水や脱酸素を行うことができるので、空間部Ｓを特にパージしなくても、容器本体２への水分などの浸入を確実に防止することができる。収容体４０の上端は、筒状体２２の上端とほぼ同じ高さとすることが好ましく、これによって、高さスペースが小さい保管場所へも対応可能になる。収容体４０は、容器本体２を載置した状態で軸線が水平方向に延びるように、筒状体２２に取り付けてもよい。
【００２３】
また、内容液の揮発成分の放散防止を主目的とする場合には、図４に示すように、空間部Ｓを有しない構成にすることも可能であり、これによって、密閉用キャップ及び密閉容器をよりコンパクトにすることができる。この場合、密閉用キャップ２０は、針管の刺通部を有しない構成にして、筒状体２２と蓋体２４とが一体化されていてもよい。尚、図４に示す構成において、図１に示す構成と同様の構成部分には同一の符号を付している。
【図面の簡単な説明】
【００２４】
【図１】本発明の一実施形態に係る密閉容器の要部を一部断面で示す側面図である。
【図２】図１に示す密閉容器の使用状態を一部断面で示す側面図である。
【図３】本発明の他の実施形態に係る密閉容器の要部を一部断面で示す側面図である。
【図４】本発明の更に他の実施形態に係る密閉容器の要部を一部断面で示す側面図である。
【図５】従来の容器の要部を分解した状態で示す側面図である。
【符号の説明】
【００２５】
１  密閉容器
２  容器本体
４  口部
６  サポートリング
１０  本キャップ
１２  セプタム
２０  密閉用キャップ
２２  筒状体
２２ｃ  係止リング
２２ｄ  受け面
２４  蓋体
４０  収容体
Ｓ  空間部
Ｒ  収容部
【図１】
2006321543.tif 000003
【図２】
2006321543.tif 000004
【図３】
2006321543.tif 000005
【図４】
2006321543.tif 000006
【図５】
2006321543.tif 000007